(57)【要約】【課題】  第１引戸と第２引戸が互いに連動して出入口を開閉することが出来る２連式引戸装置であって、点検パネルの高さ寸法を小さく抑えることで外観を向上させ、一方、耐久性が優れて動開閉動作が何時までもスムーズに行える２連式引戸装置の提供。【解決手段】  第１引戸は１第１上レール１０に第１吊車１３を介して吊設され、第２引戸２は第２上レール１１に第２吊車１５を介して吊設され、そして、第２引戸２には収納空間１８を形成して出入口を開く際に後退する第１引戸１は該収納空間１８に収納され、第１引戸１及び第２引戸２の上部に配置しているレール取付け部材９の両面側には第１上レール１０と第２上レール１１を対を成して取付ける。【選択図】    図２
2014047459.tif 000002
【特許請求の範囲】
【請求項１】
第１引戸と第２引戸が互いに連動機構を介して連動することで出入口を開閉することが出来る２連式引戸装置において、第１引戸は第１上レールに第１吊車を介して吊設され、第２引戸は第２上レールに第２吊車を介して吊設され、そして、第２引戸には収納空間を形成して出入口を開く際に後退する第１引戸は該収納空間に収納され、第１引戸及び第２引戸の上部に配置しているレール取付け部材の両面側には第１上レールと第２上レールを対を成して取付けたことを特徴とする２連式引戸装置。
【請求項２】
第１引戸の上端両側に第１ブラケットを取着すると共に第１吊車と連結し、同じく第２引戸の上端両側に第２ブラケットを取着すると共に第２吊車と連結した請求項１記載の２連式引戸装置。
【発明の詳細な説明】
【技術分野】
【０００１】
本発明は第１引戸と第２引戸を有し、互いに連動して出入口を開閉することが出来る２連式引戸装置に関するものである。
【背景技術】
【０００２】
出入り口を開閉する為の手段として引戸が用いられる場合は多く、該引戸はその上端に取付けられている吊車を介して上レールに吊設され、該上レールに沿ってスライドすることが出来る。ところで、該引戸は出入り口幅より大きく成っていて、出入り口を開口した際には戸袋に収納されることになるが、この戸袋の幅寸法（奥行き寸法）は引戸幅より大きく成っている。従って、大きな幅の出入り口に引戸を装着する場合には、引戸の幅寸法が大きくなると共に、開いた際に収納される戸袋寸法も必然的に大きく成ってしまう。
【０００３】
そこで、第１引戸と第２引戸が互いに連動する２連式の引戸装置が用いられ、出入り口を閉じる場合には並列状態にある第１引戸と第２引戸が引き伸ばされて直列状態となり、出入り口を開いて戸袋に収納される場合には、第１引戸と第２引戸は互いに並列状態に納まることが出来る。従って、第１引戸及び第２引戸の寸法、並びに戸袋寸法は１連式引戸の場合に比較して大幅に小さくなる。
【０００４】
図５は従来の２連式引戸装置の概略を表している横断面であり、(ａ)は出入り口(イ)が閉じられている場合、(ｂ)は出入り口(イ)が開口している場合である。２連式引戸は第１引戸(ロ)と第２引戸(ハ)から成って両引戸は互いに連動し、第１引戸(ロ)を前進・後退することで第２引戸(ハ)も前進・後退動することが出来るように構成している。連動機構は色々あるが、一般的には第２引戸(ハ)の上端両側に軸支したプーリーにベルトやワイヤーを巻き掛け、このベルトは上レール側に１点が固定されると共に別の一点は第１引戸(ハ)と連結している。
【０００５】
従って、第１引戸(ロ)のスライド運動はベルトの往復運動を介して第２引戸（ハ）に伝達される。従って、同図(ａ)に示す位置にある第１引戸(ロ)が後退して出入り口(イ)が開口するならば、(ｂ)のように第１引戸(ロ)は第２引戸(ハ)と並列状態に成って戸袋(ニ)に収納される。
【０００６】
この場合、２連式引戸が戸袋(ニ)から引き出されて出入り口(イ)が閉じている状態では、該戸袋(ニ)の入口に比較的大きな空間(ホ)が形成され、この空間(ホ)から第１引戸(ロ)が戸袋(ニ)に収納されるが、この際、該空間(ホ)に手を入れているならば第１引戸(ロ)に挟まれてしまう。一方、第１引戸(ロ)と第２引戸(ハ)とは互いに並列関係にあり、引戸装置としての外観が好ましくない。
【０００７】
そこで、第２引戸内に収納空間を形成し、出入口を開く際には第２引戸の収納空間に後退する第１引戸が収納するように構成した２連式引戸装置が知られている。
特許第４５２１６７５号に係る「２連式引戸装置」は第２引戸に収納空間を形成し、出入口を開いて２連式引戸が戸袋に収納されるときは、第１引戸は第２引戸の収納空間に収まることができるようにしている。
【０００８】
そこで、第２引戸は上レールに吊車を介して吊設されると共に第１引戸が収納される収納空間を有し、第１引戸はその戸先側を上レールに吊車を介して吊設すると共に戸尻側は上記第２引戸の収納空間内に水平に設けたスライドレールにスライダーを介して吊設し、そして第２引戸の上端であって上レールの下側には第１引戸と第２引戸の連動機構を備えている。
【０００９】
第１引戸の戸尻側を第２引戸の収納空間に水平に設けたスライドレールにスライダーを介して吊設することで、第１引戸の両端に吊車を取付けて上レールに吊設する場合に比べ、縦寸法は小さくなり、吊設部分をカバーする点検パネルの高さが小さくなって２連式引戸装置の外観の向上が得られる。すなわち、第１引戸及び第２引戸の全てを吊車にて吊設したのでは、吊設部分の高さ寸法が大きく成り、ひいてはこの部分をカバーする為の点検パネルの寸法拡大と成ってしまう。
【００１０】
２連式引戸装置に関しては、その他に色々知られている。例えば、第１引戸の戸先側は吊車を介して上レールに吊設すると共に、戸尻側は床レール上を走行する戸車にて支持する構造も存在しているが、床面にレールを敷設することは邪魔になると共に、その開閉操作はスムーズではない。基本的には上吊型式の引戸の方が好ましい。
【特許文献１】特許第４５２１６７５号に係る「２連式引戸装置」
【発明の開示】
【発明が解決しようとする課題】
【００１１】
このように、２連式引戸装置には従来においても色々な型式が存在している。本発明は従来の２連式引戸装置とは異なる方式を採用することで、点検パネルの高さ寸法を小さくし、第１引戸と第２引戸を吊設する為の上レールを別々に設けることで耐久性を向上し、製作コストを低く抑えることが出来、さらに第１引戸と第２引戸の連動開閉操作がスムーズに行われるように構成した２連式引戸装置を提供する。
【課題を解決するための手段】
【００１２】
本発明に係る２連式引戸装置は互いに連動する第１引戸と第２引戸を備え、そして第２引戸には収納空間が形成され、出入口を開く際に後退する第１引戸が第２引戸の収納空間に収納されるように構成している。勿論、戸袋を有している為に、第２引戸は戸袋空間に収納される。出入口上部には第１上レールと第２上レールが対を成して設けられ、該第１上レールには第１引戸が第１吊車を介して吊設され、第２上レールには第２引戸が第２吊車を介して吊設されている。
【００１３】
上記第１上レールと第２上レールは各々がレール取付け部材の両面に対を成してほぼ同じ高さに取着されている。しかも、レール取付け部材に取着することで、第１レール及び第２レールの夫々の高さ調整を可能としている。従って、第１上レールと第２上レールを段違いに取着することも可能である。また、第１引戸の上端には第１ブラケットが固定され、この第１ブラケットが第１吊車と連結し、同じく第２引戸の上端にも第２ブラケットが固定され、この第２ブラケットが第２吊車と連結している。
【００１４】
なお、本発明の引戸と吊車の間にはブラケットを介在させているが、吊車とブラケットを一体化して引戸に取付けることも可能であり、その形態は限定しない。
第１上レール及び第２上レールはレール取付け部材を介して所定の距離を隔てているが、上記ブラケットにて第１引戸の中立面と第１上レール、及び第２引戸の中立面と第２上レール間の位置ズレに対応している。
【００１５】
そして、第１引戸と第２引戸の間には互いに連動するように連動機構を設けており、第１引戸は第２引戸を移動することが出来るように連動している。ここで、連動機構の具体的な構造は限定しないが、一般には所定の間隔を隔てて両プーリを第２引戸に軸支し、このプーリにベルトやワイヤーを巻き掛けると共に、ベルトの１点を上レール側に固定し、別の一点を第１引戸に連結して構成することが出来る。
【発明の効果】
【００１６】
本発明に係る２連式引戸装置は第１引戸と第２引戸から成って、出入口を開く場合には第２引戸に設けている収納空間に第１引戸が収納される形態と成っている為に、２連式引戸装置の外観は好ましい。そして、第１引戸は両吊車を介して第１上レールに吊設され、第２引戸は両吊車を介して第２上レールに夫々吊設されている為に、すなわち合計４個の吊車にて第１引戸と第２引戸を吊設することで、各上レールにかかる負担は軽減され、何時までもスムーズな開閉操作を行なうことが出来る。さらに、引戸を開いた場合には、上記４個の吊車がほぼ重なり合う状態と成るので、出入口の開口を大きくすることが出来、該出入口を通過する際に出入口幅を気にしながら通行することがなくなる。
【００１７】
そして、第１上レール及び第２上レールはレール取付け部材の両面側にほぼ同じ高さで取着される為に、これら各上レール及び吊車をカバーする点検パネルの高さ寸法は小さくなり、２連式引戸装置としての外観は向上する。また、第１上レールと第２上レールは段違いに取着することも可能であるが、この場合もレール取付け部材へ簡単に取付け出来る。
しかも、第１上レール及び第２上レールはレール取付け部材に取着されることで、その高さ調整を行うことが可能と成る。一方、各上レールに載置する吊車と引戸の間にはブラケットを介在することで、上レールと引戸中立面間の芯ズレに対処することが出来ると共に、既存の一般的な吊車が使われる。
【図面の簡単な説明】
【００１８】
【図１】本発明に係る２連式引戸装置を示す正面図。
【図２】図１のＡ−Ａ断面拡大図。
【図３】出入口が閉じられている場合の２連式引戸装置の平面図と一部正面図。
【図４】出入口が開いている場合の２連式引戸装置の平面図と一部正面図。
【図５】従来の一般的な２連式引戸装置の概略図。
【発明を実施するための形態】
【００１９】
図１は本発明に係る２連式引戸装置の正面図であり、出入口が閉じられている場合を示している。同図の１は第１引戸、２は第２引戸、３は戸袋、４は点検パネルを夫々表している。第１引戸１の先端部にはハンドル５が取付けられ、このハンドル５を握って右方向へ引くならば、第１引戸１は移動すると共に第２引戸２も矢印方向へ移動する。そして、第１引戸１は第２引戸２に形成している収納空間へ進入して出入口が開かれる。これら第１引戸１と第２引戸２は互いに連動して開閉動作を行なうことが出来る。
【００２０】
出入口は第１引戸１と第２引戸２が繋がった状態で閉じられ、出入口を開く場合には第１引戸１及び第２引戸２は戸袋３に収まるが、第２引戸２の収納空間に第１引戸１が収まる。従って、戸袋３は幅寸法（奥行き）を短くしている。ここで、出入口部分には横材６、戸当りとしての縦材７、戸袋入口に起立する縦材８が嵌っている。そして、該戸袋３は建築壁にて構成している。
【００２１】
図２は図１のＡ−Ａ断面拡大図を示し、第１引戸１及び第２引戸２は吊車を介して上レールに吊設されている。ここで、第１引戸１及び第２引戸２の上部に配置されているレール取付け部材９が建築壁の補強材１６に固定され、このレール取付け部材９の両面側に第１上レール１０と第２上レール１１が取着されている。同図の第１上レール１０と第２上レール１１はレール取付け部材９を挟み込んでボルト締めなどで該レール取付け部材９に取着され、同一高さとなっている。ただし、第１上レール１０及び第２上レール１１の取付け高さに関しては、夫々が適した高さになるように調整可能としている。すなわち、第１上レール１０と第２上レール１１を位置ズレさせて段違いに取着することも出来る。
【００２２】
第１引戸１の上端には第１ブラケット１２が固定され、この第１ブラケット１２は第１吊車１３と連結している。同じく、第２引戸２の上端には第２ブラケット１４が固定され、この第２ブラケット１４は第２吊車１５と連結している。
第１上レール１０はレール取付け部材９に取着されて、第１吊車１３のローラが載る走行部は該レール取付け部材９から離れている。第１引戸１の上端に固定される第１ブラケット１２は、第１引戸中立面から離れた位置にある第１上レール１０の走行部に載る第１吊車１３を連結している。
【００２３】
同じく、第２吊車１５のローラが載る走行部は該レール取付け部材９から離れている。第２引戸２の上端に固定される第２ブラケット１４は、第２引戸中立面から離れた位置にある第２上レール１１の走行部に載る第２吊車１５を連結している。そして、出入口の上部に取付けている横桟６は正面側横材６ａと背面側横材６ｂから成っており、正面側横材６ａの下縁に形成したカギに点検パネル４が係止して取付けられている。
【００２４】
図３は引戸が閉じている場合の平面図と正面図の一部を示し、図４は引戸が開いている場合の平面図と正面図の一部をそれぞれ表している。第１引戸１を吊設する第１吊車１３ａ，１３ｂは第１引戸１の両端に取着され、また第２引戸２を吊設する第２吊車１５ａ，１５ｂは第２引戸２の両端に取着されている。しかも、第１吊車１３ａ，１３ｂは第１引戸１の中立面上ではなく、中立面から位置ズレした位置に配置され、同じく第２吊車１５ａ，１５ｂは第２引戸２の中立面上ではなく、中立面から位置ズレした位置と成っている。
【００２５】
第２引戸２には収納空間１８が形成され、出入口を開くならば、図４に示すように第１引戸１は後退して収納空間１８に収納され、同時に第２引戸２は戸袋３に収納される。ここで、第１引戸１の上端に取着して第１吊車１３ａ，１３ｂを取付ける第１ブラケット１２ａ，１２ｂの形状は互いに違っているが、戸尻側の第１ブラケット１２ｂは第１引戸１と共に第２引戸２の収納空間１８に進入することが出来る。
【００２６】
そして、第１引戸１と第２引戸２とは連動して出入口を開閉することが出来るが、第２引戸２に連動機構を備えている。すなわち、第２引戸２の第２ブラケット１４ａ，１４ｂにはプーリ１９ａ，１９ｂが軸支され、両プーリ１９ａ，１９ｂにはワイヤー２０が巻き掛けられている。また、巻き掛けたワイヤー２０がダブ付かないように、片方のプーリ１９ａにはテンショナーを取付ける場合もある。
【００２７】
そして、上記ワイヤー２０の適当な一点は壁側に固定され、またその他の適当な一点は第１引戸１と連結している。第１引戸１の上端に取着している戸尻側の第１ブラケット１２ｂに設けている金具にワイヤー２０が止着し、第１引戸１が移動することで、両プーリ１９ａ，１９ｂに巻き掛けているワイヤー２０は往復運動することに成る。
【００２８】
ところが、ワイヤー２０の一点が壁側に固定されていることで、第１引戸１と共にワイヤー２０が移動するならば、両プーリ１９ａ，１９ｂは移動し、ひいては第２引戸２が移動する。この場合、両プーリ１９ａ，１９ｂの移動距離は第１引戸１と共に移動するワイヤー２０の移動距離に対して１／２と成る。
従って、第１引戸１に対して第２引戸２の移動距離は１／２となり、第２引戸２の収納空間１８に第１引戸１が収納されて戸袋３に収納された状態から、第１引戸１を引き出すならば、移動距離が２倍の第１引戸１の戸先は縦材７に当接し、第１引戸１と直列状態となる第２引戸２とで出入口を閉じることが出来る。
ただし、第１引戸１と第２引戸２の移動距離に関しては限定せず、連動機構によって異なる。そして、連動機構を構成するプーリ１９ａ，１９ｂは起立して回転軸は水平としているが、プーリ１９ａ，１９ｂを水平に倒してその回転軸を垂直とする場合もある。
なお、実施例では第１引戸１と第１吊車１３、第２引戸２と第２吊車１５の間にそれぞれ第１ブラケット１２、第２ブラケット１４を介在しているが、吊車とブラケットを一体化させて引戸に取付けることも可能であり、本発明は上記実施例に限定しない。
【００２９】
ところで、図３の正面図に示しているように、第１引戸１の上端は第２引戸２の上端に対して低く成っている。勿論、第１引戸１及び第２引戸２を同一高さとして構成することは自由であるが、上端を低くすることで上レールとの間の空間を利用して、例えば、ゼンマイバネで構成した自動閉鎖装置や閉じる際の衝撃を緩和するダンパーを第１引戸１の上端に取付けることが可能となる。また、第１引戸１及び第２引戸２が自動的に閉鎖することができる自動閉鎖手段として、ゼンマイバネで構成することなく、上レールを僅かに傾斜することもある。
【符号の説明】
【００３０】
１  第１引戸
２  第２引戸
３  戸袋
４  点検パネル
５  ハンドル
６  横材
７  縦材
８  縦材
９  レール取付け部材
10  第１上レール
11  第２上レール
12  第１ブラケット
13  第１吊車
14  第２ブラケット
15  第２吊車
16  補強材
17  収納空間
18  プーリ
19  ワイヤー
【図１】
2014047459.tif 000003
【図２】
2014047459.tif 000004
【図３】
2014047459.tif 000005
【図４】
2014047459.tif 000006
【図５】
2014047459.tif 000007